(57)【特許請求の範囲】
【請求項１】
無線回線を介してデジタル信号の送受信を行う送受信装置と端末装置に接続された多重化装置との間の有線回線にインタフェース装置を接続したデジタル伝送装置において、
該インタフェース装置が、該多重化装置から受信したＩインタフェース仕様によるフレームの同期ビット列を無線回線用のサービス情報ビットに割り当てたフレームフォーマットで該送受信装置を介して対向するインタフェース装置に送信するための手段であって、該無線回線用サービス情報ビットの所定位置に該インタフェース装置間の無線フレーム同期を取るためのビット及び無線回線識別を行うためのビットを挿入する手段を有するものと、該対向するインタフェース装置から受信したフレームにおける該無線回線用サービス情報ビットを該Ｉインタフェース仕様によるフレームに戻して該多重化装置に送信するための手段と、を備えたことを特徴とするデジタル伝送装置。
【請求項２】
請求項１において、
該送信手段が、該無線回線用サービス情報ビットの所定位置に自局の多重化装置の状態を対向する多重化装置に転送するためのビットを挿入する手段を有することを特徴としたデジタル伝送装置。
【請求項３】
請求項１又は２において、
該送信手段が、該無線回線用サービス情報ビットの所定位置に該インタフェース仕様の試験のためのループバック制御用ビットを挿入する手段を有し、該インタフェース装置が、該ループバック制御用ビットを自局内で生成する手段と、該生成されたループバック制御用ビット又は他のインタフェース装置からのループバック制御用ビットを検出する手段と、該検出手段による検出結果に従ってループバックさせる手段と、を有することを特徴としたデジタル伝送装置。
【請求項４】
請求項１乃至３のいずれかにおいて、
該インタフェース装置が、該多重化装置から受信した該Ｉインタフェース仕様によるフレーム中の有線回線保守信号用ビット位置に該インタフェース装置間の回線状態を識別するためのビットを挿入する手段を有することを特徴としたデジタル伝送装置。
【請求項５】
請求項４において、
該インタフェース装置が、該有線回線保守信号用ビット位置に該インタフェース装置間の回線状態識別ビットを挿入するか、またはそのままスルーで転送させるかを選択可能にする手段を有することを特徴としたデジタル伝送装置。
【発明の詳細な説明】
【発明の属する技術分野】
本発明はデジタル伝送装置に関し、特に無線回線を介してデジタル通信を行うデジタル伝送装置に関するものである。
【０００１】
デジタル伝送装置においては、音声、画像、データ等の情報をデジタル化し、多重化した高次群デジタル信号が伝送路に送出される。この場合の伝送方式としては、加入者線を介して高速デジタル回線で伝送する方式と、マイクロ波やミリ波を用いた無線回線により伝送する方式がある。
【０００２】
図９（１）は前者の高速デジタル回線で伝送する方式におけるデジタル伝送装置を示したものである。
【０００３】
図において、多重化装置４０Ａと光加入者線終端装置（ＤＳＵ）４１Ａとでデジタル伝送装置を構成しており、多重化装置４０Ａは６Mbpsの多重化されたデジタル信号を送出し、光加入者線終端装置４１Ａは基準クロック（図示せず）の供給を受けて同期を確立し、高速デジタル専用回線である伝送路Ｌ６を介して接続された対向するデジタル伝送装置における光加入者線終端装置４１Ｂと多重化装置４０Ｂとの間で送受信を行う。
【０００４】
このデジタル伝送装置は一般に用いられているものであるが、例えば伝送路Ｌ６に故障が発生すると送受信が不可能となってしまう。また、近くのビル間や工場内ではわざわざ外部の加入者線を使用したのでは、通信費等のコストが継続に必要となってしまう。
【０００５】
そこで、同図（２）に示すように後者の無線伝送路Ｌ３を用いたデジタル伝送装置が開発されている。
【０００６】
この場合には、多重化装置４０Ａ，４０Ｂと加入者線終端装置４２Ａ，４２Ｂと送受信装置（ＭＲＵ）４２Ａ，４２Ｂとでそれぞれデジタル伝送装置を構成しており、多重化装置４０Ａ，４０Ｂがそれぞれ伝送路Ｌ１，Ｌ５を介して加入者線終端装置４１Ａ，４１Ｂに接続されており、さらにそれぞれ伝送路Ｌ２，Ｌ４を介して送受信装置（ＭＲＵ）４２Ａ，４２Ｂに接続されている。そして、２つの送受信装置４２Ａ，４２Ｂは無線回線Ｌ３を介して接続されている。
【０００７】
これにより、多重化装置４０Ａ−４０Ｂ間の接続を、送受信装置４３Ａ，４３Ｂと加入者線終端装置４１Ａ，４１Ｂとの２系列にしてその故障時のバックアップを可能とし、また加入者線を使用することなく大容量の自営ネットワークを構築可能にしている。
【０００８】
このようなデジタル伝送装置において無線回線Ｌ３上で使用されるフレームは図１０に示されるように、３バイトのフレーム同期ビット（チャネル）ＦSRと、４ビットの回線識別用ビットＩＤと、１ビットの自局端末(DTE)状態識別ビットＵＡＩＳ（または回線状態識別ビットＳ）と、３ビットの空きビットと、ビットＬＰＢＡ〜ＬＰＢＣを含む１バイトのループバック試験用ビットと、９８バイトの情報転送ビットＴＳ1〜ＴＳ98（Ｈチャネル＋Ｄチャネル＋空きチャネル）と、５ビットの無線フレーム用ＣＲＣ−５チェックビットｅk1〜ｅk5とで構成されており、速度は６．５９２Mb/sである。
【０００９】
このような無線回線用フレームは情報転送ビットＴＳ1〜ＴＳ98の他に同期ビットＦSRとサービス情報ビットＩＤ，ＵＡＩＳ／Ｓ，ＬＰＢＡ〜ＬＰＢＣとをオーバーヘッドとして別に持ち、多重化装置４０Ａ，４０Ｂからのフレーム信号よりビットＴＳ1〜ＴＳ98とｅk1〜ｅk5を抜き出し無線フレームに乗せ換えて伝送していた。
【００１０】
このため、このようなデジタル伝送装置においては無線回線用のフレームを新たに生成してビット付加するというフォーマット変換を行わなければ無線回線特有のビットＩＤ，ＵＡＩＳ／Ｓ，ＬＰＢＡ〜ＬＰＢＣを転送することができないため回路構成が複雑になったり速度変換回路が必要になるという問題がある。
【００１１】
したがって、無線回線特有のビットを新たに付加することなくデジタル伝送が行える装置が必要になっている。
【００１２】
【従来の技術】
上記の無線回線特有のビットを新たに付加する必要の無いデジタル伝送装置としては図１１に示すように本発明者が特開平１−２９３０３１号公報において既に提案されている。
【００１３】
ここでは、デジタル伝送装置としての無線端局をマスター側とスレーブ側とに分けてワイヤレスリンク区間を形成している。マスター側の無線端局は多重化装置５０Ａと、この多重化装置５０Ａに伝送路Ｌ１を介して接続されたインタフェース装置５１Ａと、このインタフェース装置５１Ａに伝送路Ｌ２を介して接続された送受信装置（ＭＲＵ）５２Ａとで構成されており、スレーブ側の無線端局は同様にして、多重化装置５０Ｂと、この多重化装置５０Ｂに伝送路Ｌ５を介して接続されたインタフェース装置５１Ｂと、このインタフェース装置５１Ａに伝送路Ｌ４を介して接続された送受信装置５２Ｂとで構成されている。
【００１４】
また、各多重化装置５０Ａ，５０Ｂは、図９（１）に示したように光加入者線終端装置４１と高速デジタル専用回線Ｌ６とを介してもワイヤレスリンク区間において並列に接続されている。
【００１５】
さらに多重化装置５０Ａは、図１１に示すようにデータ端末装置である、データ処理装置５４と、ＰＢＸ（構内交換機）５５を介して接続された電話機またはファクシミリ受信機５６と、テレビ会議装置５７とに接続されており、図示していないが、多重化装置５０Ｂも同様である。
【００１６】
この構成例においては、図９（２）における加入者線終端装置４２Ａ，４２Ｂの代わりにインタフェース装置５１Ａ，５１Ｂが用いられており、このインタフェース装置５１Ａ，５１Ｂは、デジタル伝送装置がワイヤレスリンク区間での通信を行う際、送受信装置５２Ａ，５２Ｂと多重化装置５０Ａ，５０Ｂとのインタフェースを行う。
【００１７】
すなわち、データ端末装置５４〜５７からの出力信号は例えばマスタ側の多重化装置５０Ａにより多重化され、図１２に示すような国内基準であるＹインタフェース仕様と称されるフレームフォーマット（図示せず）に変換される。
【００１８】
このフレームフォーマットは同図（１）に示すように９８バイトの情報転送ビットＴＳと５ビットのスーパーフレームのサービス情報ビットＳＦとで構成されるフレーム（図１０に示した無線回線用フレームの内、情報転送用ビットＴＳ1〜ＴＳ98とＣＲＣ−５チェックビットｅk1〜ｅk5のみを用いたフレーム）であり、サービス情報ビットＳＦ中の所定位置に、図１２（２）に示したビットＣＲＶ（フレーム同期ビット）及びビットＳ（回線状態識別ビット）を挿入した信号である。そして、４つのフレーム（４マルチフレーム）で１つのスーパーフレームを構成している。
【００１９】
このフレームを受けたインタフェース装置５１Ａでは、これに基づいて無線フレームを生成する。
【００２０】
この無線フレームにおいては、同図（３）に示すように、情報転送用ビットＴＳ1〜ＴＳ98はそのままであるが、サービス情報ビットＳＦは伝送路の品質監視のため、１フレーム毎にパリティビットＰがフレームの最後尾に挿入され、また、スーパーフレームの第２フレーム（又は第４フレーム）に４ビットの回線識別信号ＩＤが挿入される。
【００２１】
この他に、フレーム同期を取るために３ビットの信号Ｆ（ＦＦＦ＝１１１）が挿入され、パリティビットＰのためにビットＣＲＶの挿入位置が変更される。また、この時点までの故障発生を示すビットＵＮＲが所定の位置に挿入される。
【００２２】
上記のサービス情報ビットＳＦを４マルチフレーム化することによりＹインタフェース仕様のフレームとして無線回線用の同期化を図っている。
【００２３】
そして、送受信装置５２Ａ及び無線回線Ｌ３を介して対向するスレーブ側の送受信装置５２Ｂに伝送され、インタフェース装置５１Ｂで元のフレームフォーマットに戻し、多重化装置５０Ｂを介してデータ端末装置（図示せず）に分離され伝送される。スレーブ側からマスタ側への反対方向の場合も同様である。
【００２４】
そして、インタフェース装置では、転送されて来るフレーム中のサービス情報ビットＳＦを監視し、その符号誤り率の測定を行ってその符号誤り率が一定の値以上となったときにアラーム信号を発生する。また、テスト時において、テストパターンを発生しその結果に基づいてアラーム信号を送出するようにしている。
【００２５】
【発明が解決しようとする課題】
上記のＹインタフェース仕様による無線フレーム（図１２（３）参照）を現在の国際的な要請であるＩインタフェース仕様で実現しようとすると図１３に示すようなフレーム構成となる。
【００２６】
すなわち、この無線回線用フレームにおいては、スーパーフレームの１番目のフレームにおける４ビットが同期ビットＦSに割り当てられており、ＵＮＩ(User Network Interface)保守信号用ビットｍが１ビット分割り当てられている。２番目のフレームにおいては５ビット全てが同期ビットＦSに割り当てられている。
【００２７】
３番目のフレームにおいては、インタフェース装置間の回線状態識別ビットＳが１ビット、ループバック試験用ビットＬＰＢＡ〜ＬＰＢＣが３ビット、それに１ビットの保守用ビットｍが割り当てられている。最後の４番目のフレームは元のＣＲＣ−５チェックビットｅk1〜ｅk5がそのまま割り当てられている。
【００２８】
この無線回線用フレームにおいては、同期ビットＦSはそのまま使用し、その他のサービス情報ビットＳ，ＬＰＢＡ〜ＬＰＢＣ，ｍ，及びｅk1〜ｅk5が使用されているが、これらの内、３番目のフレームにおけるビットＳ，ＬＰＢＡ〜ＬＰＢＣ，ｍは、Ｉインタフェース仕様のフレームフォーマットにおいては、現在、ＵＮＩ（有線回線）用に予備ビットＸ及び未使用ビットａ（図１（１）のフレームフォーマット（Ａ）及び（Ｄ）参照）として割り当てられているものであり、使われている可能性のあるビットであるため、Ｉインタフェース仕様にはそのまま適用できないという問題があった。
【００２９】
したがって本発明は、無線回線を介してデジタル信号の送受信を行う送受信装置と端末装置に接続された多重化装置との間の有線回線にインタフェース装置を接続したデジタル伝送装置において、Ｉインタフェース仕様のフレーム中の予備ビット及び未使用ビットを使用せずに無線回線用フレームを構成することを目的とする。
【００３０】
【課題を解決するための手段】
上記の目的を達成するため、本発明に係るデジタル伝送装置は、インタフェース装置が、多重化装置から受信したＩインタフェース仕様によるフレームの同期ビット列を無線回線用のサービス情報ビットに割り当てたフレームフォーマットで該送受信装置を介して対向するインタフェース装置に送信するための手段であって、該無線回線用サービス情報ビットの所定位置に該インタフェース装置間の無線フレーム同期を取るためのビット及び無線回線識別を行うためのビットを挿入する手段を有するものと、該対向するインタフェース装置から受信したフレームにおける該無線回線用サービス情報ビットを該Ｉインタフェース仕様によるフレームに戻して該多重化装置に送信するための手段と、を備えたことを特徴としている。
【００３３】
また上記の送信手段は、該無線回線用サービス情報ビットの所定位置に自局の多重化装置の状態を対向する多重化装置に転送するためのビットを挿入する手段を有することもできる。
【００３４】
また上記の送信手段は、該無線回線用サービス情報ビットの所定位置に該インタフェース仕様の試験のためのループバック制御用ビットを挿入する手段を有し、該インタフェース装置が、該ループバック制御用ビットを自局内で生成する手段と、該生成されたループバック制御用ビット又は他のインタフェース装置からのループバック制御用ビットを検出する手段と、該検出手段による検出結果に従ってループバックさせる手段と、を有することもできる。
【００３５】
さらに上記のインタフェース装置は、該多重化装置から受信した該Ｉインタフェース仕様によるフレーム中の有線回線保守信号用ビット位置に該インタフェース装置間の回線状態を識別するためのビットを挿入する手段を有することもできる。
【００３６】
そしてさらに該インタフェース装置は、該有線回線保守信号用ビット位置に該インタフェース装置間の回線状態識別ビットを挿入するか、またはそのままスルーで転送させるかを選択可能にする手段を有することも可能である。
【００３７】
上記の本発明の各手段を以下に図を用いて例示する。
図１（１）は本発明にも適用可能な図１１に示したデジタル伝送装置（無線端局）における多重化装置−インタフェース装置間のフレーム構成を示したもので、このフレーム構成は国際化されたＩインタフェース仕様のフレームフォーマット（有線回線用）そのものを示しており、無線回線フレームが図１２（１）と同様にサービス情報転送ビットＴＳ1〜ＴＳ98と５ビットのスーパーフレームＳＦとで構成されており、この内のスーパーフレームＳＦは４マルチフレームで構成されている。
【００３８】
すなわち、スーパーフレームの内の１番目のフレームにおいて４ビットが同期ビットＦSに割り当てられ、１ビットがＵＮＩ（有線回線上の）保守信号用ビットｍに割り当てられている。２番目のフレームは５ビットとも同期ビットＦSが割り当てられており、３番目のフレームは３ビットが予備ビットＸに割り当てられ、１ビットが未使用ビットａに割り当てられ、そしてもう１ビットがＵＮＩ保守信号用ビットｍに割り当てられている。最後の４番目のフレームは５ビットがＵＮＩ用ＣＲＣ−５チェックビットｅ1〜ｅ5に割り当てられている。
【００３９】
このようなＩインタフェース仕様によるフレーム（有線回線上のフレーム）はインタフェース装置５０Ａ，５０Ｂにおいて図１（２）に示すようにスーパーフレームＳＦ’が変換されて送受信装置（ＭＲＵ）５２Ａ，５２Ｂより無線フレームとして無線回線Ｌ６に送出される。
【００４０】
すなわち、同図（１）に示したサービス情報ビットＳＦのフレームフォーマット（Ａ）及び（Ｄ）における９ビットのフレーム同期ビットＦSが“１”又は“０”の固定パターンであることに着目し、インタフェース装置５０Ａ，５０Ｂから送受信装置５２Ａ，５２Ｂを介して無線回線上を流れるフレームはこのフレーム同期ビットＦSに無線特有のサービス情報を配置することでＵＮＩ用の情報信号に影響を与えることなく両方とも転送できるようにし、且つマルチフレームの１つのフレーム内に同種類の情報ビットを並べて配置するようにして回路の簡素化を図ったものである。
【００４１】
これをより具体的に説明すると、１番目と２番目のフレームにおけるフレーム同期ビットＦSの図示の所定位置に、無線フレーム同期信号（ＣＲＶ）を示すビットＶと、ループバック信号ＬＰＢＡ〜ＬＰＢＣと、回線識別信号ＩＤ1〜ＩＤ4と、自局の状態識別ビットＵＡＩＳと、を割り当て、ビットｍの位置にはインタフェース間の回線状態識別ビットＳを割り当てている。
【００４２】
また、３番目のフレームにおけるＵＮＩ保守信号用ビットｍはドント・ケアに設定している。なお、４番目のフレームは無線フレーム用のＣＲＣ−５チェックビットｅk1〜ｅk5に割り当てられており、実質的にＵＮＩ用ＣＲＣ−５チェックビットｅ1〜ｅ5と同じ信号である。
【００４３】
図２は図１に示した本発明に用いるフレーム構成例（１）の変形例を示したもので、この場合には、図１（２）に示したインタフェース装置−送受信装置間のフレームフォーマット（Ｂ）及び（Ｃ）におけるインタフェース装置間の回線状態識別ビットＳは用いずに元の保守用ビットｍを用いるとともに３番目のフレームも図２（１）に示した有線回線用ＵＮＩフレーム（Ａ）及び（Ｄ）と同じものに設定されている。
【００４４】
このようなデジタル伝送装置においては、図１１を参照すると、データ端末装置５４〜５７からの出力信号が多重化装置５０Ａで多重化され、図１に示すフレームフォーマット（Ａ）に変換される。
【００４５】
フレームフォーマット（Ａ）に変換された信号はインタフェース装置５１Ａに転送され、ここでフレームフォーマット（Ｂ）に変換され、さらに送受信装置５２Ａを介して対向する送受信装置５２Ｂに無線回線Ｌ３を介して伝送され、インタフェース装置５１Ｂでフレームフォーマット（Ｄ）に変換され、多重化装置５０Ｂを介してデータ端末装置（図示せず）に分離され伝送される。
【００４６】
同様にして反対方向の伝送も多重化装置５０Ｂからのフレームフォーマット（Ａ）をインタフェース装置５１Ｂにおいてフレームフォーマット（Ｃ）に変換し、対向するインタフェース装置５１Ａに送り、このインタフェース装置５１Ａにおいて再びフレームフォーマット（Ｄ）に変換して多重化装置５０Ａに変換するようにしている。
【００４７】
このようなフレームフォーマットの基本構成は同じであり速度を変える必要が無いため、無線フレームを生成するときの速度変換回路が不要となり回路の簡素化を図ることができる。
【００４８】
また、フレーム同期ビットＦSは固定ビットであるのでインタフェース装置において容易に発生することができるので多重化装置へのフレーム同期信号には何ら悪影響を及ぼさない。
【００４９】
また、上記のような無線回線用のサービス情報ビット（Ｖ，ＬＰＢＡ〜ＬＰＢＣ，Ｓ，ＩＤ1〜ＩＤ4，ＵＡＩＳ）を全て配置できるので、ビットＳによる無線回線状態の転送、折り返し信号ＬＰＢＡ〜ＬＰＢＣによる複数箇所での別々の折り返し試験が可能となるため障害の切り分けが容易となり、またビットＩＤ1〜ＩＤ4により無線回線のオーバーリーチや他局からの同一周波数の誤った受信を防止することが可能となり、さらにはビットＵＡＩＳにより他局の端末装置の状態を識別することが可能となる。
【００５０】
また、ビットＬＰＢＡ〜ＬＰＢＣ及びＩＤ1〜ＩＤ4が同一ショートフレーム内に配置できるため該当する情報ビットの抽出が容易に可能となる。
【００５１】
さらに、上記の如く多重化装置のフレームフォーマットとビット速度が同一でありフレーム同期ビット及びビットｍ以外の部分に影響を与えていないので多重化装置の信号をスルー接続に切り換えて転送する回路が簡単に実現可能となり両方の方式をサポートする機能が実現できる。
【００５２】
【発明の実施の形態】
図３は図１１に示した本発明に係るデジタル伝送装置に使用されるインタフェース装置の実施例を示したもので、このインタフェース装置は図１１に示したインタフェース装置５１Ａ，５１Ｂに設けられるものである。
【００５３】
図中、１はループバック器を示し、端子ウ及びエは多重化装置５０Ａ，５０Ｂ（図１１参照）に接続されており、図１に示したフレーム構成例（１）の場合を中心に説明すると、多重化装置からのデータＤＡＴＡ１は通常はこのループバック器１の端子ウからイへ送られる。このデータＤＡＴＡ１は図１（１）のフレームフォーマット（Ａ）を有している。
【００５４】
ループバック器１を通過したデータＤＡＴＡ１は入力断検出器２により信号の振幅の有無を判定し、信号の振幅が無ければ入力断検出信号ＩＮＡ・ＬＭ１を発動（“１”に設定）する。
【００５５】
また、フレーム同期器３はデータＤＡＴＡ１のスーパーフレームＳＦにおけるフレーム同期ビットＦS（スーパーフレームＳＦのビット列第１フレーム「１１００」，第２フレーム「１０１００」）を検出し、一致しており且つ入力断検出信号ＩＮ・ＡＬＭ１が発動されていなければ同期したものとしてタイミング発生器４から図１のフレームフォーマット（Ｂ）に示す各ビットに対応した各種のタイミングを正常に送出する。
【００５６】
フレーム同期器３においてフレーム同期ビットＦSが検出されないか又は入力断検出信号ＩＮ・ＡＬＭ１が発動されていれば“異常”であるとして信号ＲＥＣ１を発動する。
【００５７】
ＲＡＩ検出器５はデータＤＡＴＡ１に同期したタイミング発生器４からのＵＮＩ保守信号用ビットｍの位置のタイミングによりデータＤＡＴＡ１におけるビットｍを監視し、「１１１１１１１１００００００００」の繰り返しパターンであれば正常と見做し、ＲＡＩを“０”とし、それ以外であれば異常と見做して信号ＲＡＩを“１”に発動する。
【００５８】
このとき、インタフェース装置が図２のフレーム構成例（２）のモードであるときは信号ＩＮＨが“１”に発動され、これによりＲＡＩ検出器５で検出した信号ＲＡＩの発動を無効にしている。
【００５９】
主信号全１発生器６は通常状態では何もせずデータＤＡＴＡ１をそのまま通過させるが、フレーム同期器３において非同期状態であると判定されて発動状態の信号ＲＥＣ１を受けた場合には、データＤＡＴＡ１を全部“１”（ＡＬＬ“１”）に置き換えて送出する。
【００６０】
Ｓ挿入器７はタイミング発生器４からのインタフェース装置間回線状態識別ビットＳの位置のタイミングにより後述する信号ＲＥＣ２を監視し、この信号ＲＥＣ２が発動されていればビットＳを“１”に発動するが、このときに信号ＩＮＨが発動されていればデータＤＡＴＡ１中のビットｍ（２ビット）をそのまま送出する。信号ＲＥＣ２が発動されていなければビットＳは発動しない。
【００６１】
ＵＡＩＳ挿入器８はタイミング発生器４からの自局端末状態識別ビットＵＡＩＳの位置のタイミングにより信号ＲＥＣ１を監視し、これが発動状態にあればビットＵＡＩＳを発動する。
【００６２】
ａ挿入器９はタイミング発生器４からの未使用ビットａの位置のタイミングによりビットａを“１”にして送出する。
【００６３】
Ｖ挿入器１０はタイミング発生器４からの無線フレーム同期信号ビットＶの位置のタイミングによりこのビットＶを“１”にして送出する。
【００６４】
ＩＤ挿入器１１はタイミング発生器４からのビットＩＤ1〜ＩＤ4の位置のタイミングによりＩＤ設定器１３によって設定されたビットパターンを送出する。このＩＤ設定器１３の実施例が図４に示されており、またＩＤパターンの実施例が図５に示されている。
【００６５】
すなわち、このＩＤ設定器１３は４つのスイッチＩＤＳＷ１〜４とシフトレジスタ１３０とで構成されており、クロックによりスイッチＩＤＳＷ１〜４の設定値“１”又は“０”が図５のパターン例に示すように次々にシフトされ、ビットＩＤ1〜ＩＤ4として出力されるようになっている。
【００６６】
ＬＰＢ挿入器１２はタイミング発生器４からのビットＬＰＢの位置のタイミングにより、ＬＰＢ制御器１４で設定（プリセット）されたループバック信号ＬＰＢＡ〜ＬＰＢＣ又は送受信装置５２Ａ，５２Ｂ（図１１参照）から受信し（後述する）ＬＰＢ検出器２３で検出された信号ＬＰＢＡ・ＡＮＳ〜ＬＰＢＣ・ＡＮＳを送出する。
【００６７】
ＬＰＢ制御器１４は図６に示すように構成されており、マスター−スレーブ切替スイッチＳＷ１〜ＳＷ６とスイッチＬＰＳＷＡ〜ＬＰＳＷＣとオアゲートＯＲ１〜ＯＲ３とを含んでいる。
【００６８】
スイッチＳＷ１〜ＳＷ６がスレーブ側に切り替えられているとき、ＬＰＢ検出器２３で検出された信号ＬＰＢＡ・ＡＮＳ〜ＬＰＢＣ・ＡＮＳと各スイッチＬＰＳＷＡ〜ＬＰＳＷＣの出力信号（論理“１”レベル）がそれぞれオアゲートＯＲ１〜ＯＲ３に入力され、論理和が取られてループバック検出信号ＬＰＢＢ・ＡＮＳ〜ＬＰＢＣ・ＡＮＳまたはスイッチＬＰＳＷＢ〜ＬＰＳＷＣによりループバック信号ＬＰＢＢ〜ＬＰＢＣがそれぞれループバック器１又は１８に出力されてループバック制御されるようになっている。この場合、ループバック信号ＬＰＢＡ〜ＬＰＢＣはＬＰＢ挿入器１２に対するプリセットデータにも成っている。
【００６９】
また、スイッチＳＷ１〜ＳＷ５がマスター側に切り替えられているときには、スイッチＬＰＳＷＡ〜ＬＰＳＷＣによるプリセットデータＬＰＢＡ〜ＬＰＢＣがＬＰＢ挿入器１２に出力されてループバック制御されるようになっている。
【００７０】
合成器１５は上記の発生器６及び挿入器７〜１２からの出力信号を合成し、この合成した信号をＣＲＣ演算・挿入器１６でＣＲＣ−５の演算を行い、その演算結果をタイミング発生器４からの信号ＣＲＣ１のタイミングにより無線フレーム用ＣＲＣ−５チェックビットｅk1〜ｅk5に挿入する。
【００７１】
ＣＭＩ符号器１７はＣＲＣ演算・挿入器１６からのＮＲＺ(Non-Return to Zero)のデータの信号をＣＭＩ信号に符号変換すると同時にタイミング発生器４からの無線フレーム同期信号ビットＶの位置のタイミングによりＣＭＩ信号にバイオレーション（ＣＭＩ信号の“１”の符号則をビットＶの部分だけ違反させること）を行う。
【００７２】
ループバック器１８は通常はＣＭＩ符号器１７からのＣＭＩ符号化され且つ図１（１）のフレームフォーマット（Ｂ）を持った信号を送受信装置５２Ａ，５２Ｂに送出するが、ＬＰＢ制御器１４よりループバック信号ＬＰＢＡが与えられた場合は端子オからカに信号を折り返して自分の受信入力とする。またＬＰＢ制御器１４によりループバック信号ＬＰＢＢが与えられた場合は送受信装置５２Ａ，５２Ｂからの受信信号を端子キからクへ折り返して再び送受信装置５２Ａ，５２Ｂに送出する。
【００７３】
ループバック器１８の端子キ及びクに接続された送受信装置５２Ａ，５２Ｂからのスレーブ側の信号ＲＸは通常はループバック器１８を端子クからカに通過し、ＣＭＩ復号器２０で図１に示したフレームフォーマット（Ｂ）を有するＣＭＩ信号からＮＲＺ信号のデータＤＡＴＡ２に変換される。またバイオレーションを検出し、無線フレーム同期ビットＶの位置を発動状態にする。
【００７４】
受信信号ＲＸは入力断検出器１９において信号の振幅の有無が判定され、その振幅が閾値を越えていなければ信号ＩＮ・ＡＬＭ２を発動する。
【００７５】
フレーム同期器２１は、ＣＭＩ復号器２０で検出された同期ビットＶが発動状態にあり且つ信号ＩＮ・ＡＬＭ２が発動状態でなく、さらにＩＤ検出器２４において検出されたビットＩＤ1〜ＩＤ4がＩＤ設定器１３で設定（プリセット）された回線識別ビットＩＤ1〜ＩＤ4と一致しているか否かを判定したＩＤ判定信号が一致を示していれば同期したものとしてタイミング発生器２２に対して制御信号を与え、図１に示したフレームフォーマット（Ｂ）に示す各ビットに対応した各種のタイミングをタイミング発生器２２から正常に送出させる。
【００７６】
またフレーム同期器２１は、ビットＶ及びビットＩＤ1〜ＩＤ4により非同期が発動されているかまたは信号ＩＮ・ＡＬＭ２が発動状態にあれば異常であるとして信号ＲＥＣ２を発動状態にする。
【００７７】
ＬＰＢ検出器２３はタイミング発生器２２からのデータＤＡＴＡ２に同期したビットＬＰＢＡ〜ＬＰＢＣの位置のタイミングによりデータＤＡＴＡ２の中の信号ＬＰＢＡ〜ＬＰＢＣを検出し、その情報をＬＰＢ制御器１４に送出する。
【００７８】
ＩＤ検出器２４はタイミング発生器２２からのビットＩＤ1〜ＩＤ4の位置のタイミングによりデータＤＡＴＡ２におけるビットＩＤ1〜ＩＤ4を検出し、ＩＤ設定器１３で設定されたビットＩＤ1〜ＩＤ4と一致しているか否かを判定し、上記のようにそのＩＤ判定信号をフレーム同期器２１に送出する。
【００７９】
ＵＡＩＳ検出器２５はタイミング発生器２２からのビットＵＡＩＳの位置のタイミングによりデータＤＡＴＡ２における自局端末状態識別ビットＵＡＩＳを検出し、これが発動状態にあれば対向する多重化装置が異常であるとして信号ＲＥＣ２を発動状態“１”にする。
【００８０】
Ｓ検出器２６はタイミング発生器２２からのビットＳの位置のタイミングによりＤＡＴＡ２におけるインタフェース装置間回線状態識別ビットＳを検出し、これが発動状態であれば相手のインタフェース装置が異常であるとして信号ＲＥＣ１を発動状態にする。
【００８１】
タイミング発生器２７は図１のフレームフォーマット（Ｄ）の各種フレームタイミングを発生するものである。
【００８２】
ｍ挿入器２８は、タイミング発生器２７からの保守信号用ビットｍの位置のタイミングにより、Ｓ検出器２６からのビットＳによる異常を示す信号ＲＥＣ１またはフレーム同期器３からの信号ＲＥＣ１による異常が発動されたときにビットｍに「０１１１１１１０」の繰り返しパターンを挿入し、多重化装置に異常を知らせる。また、正常であればビットｍに「１１１１１１１１００００００００」の繰り返しパターンを送出する。
【００８３】
この場合、図２に示したフレーム構成例（２）のモードであるときにはモード切替信号ＩＮＨが発動されているので、ビットｍはそのまま送出される。
【００８４】
ＦS挿入器２９は多重化装置に対して再び固定フレームパターンである「１１００１０１００」を発生させ、タイミング発生器２７からのフレーム同期ビットＦS（図１（１）のフレームフォーマット（Ｄ）参照）の位置のタイミングにより送出する。
【００８５】
ａ挿入器３０はタイミング発生器２７からの未使用ビットａのタイミングによりビットａを“１”にして送出する。
【００８６】
合成器３１はＣＭＩ復号器２０からの信号ＴＳ1〜ＴＳ98と予備ビットＸ、ｍ挿入器２８からのビットｍ、ＦS挿入器２９からのビットＦS、及びａ挿入器３０からのビットａを合成する。
【００８７】
ＣＲＣ演算・挿入器３２は合成器３１で合成された信号に対してＣＲＣ−５演算を施し、その結果をタイミング発生器２７からのＣＲＣ２のタイミングによりＵＮＩ用ＣＲＣ−５チェックビットｅ1〜ｅ5に挿入する。
【００８８】
ＡＩＳ発生器３３はフレーム同期器２１からの信号ＩＮ・ＡＬＭ２の発動状態または非同期状態、或いはＵＡＩＳ検出器２５からのビットＵＡＩＳの発動状態による信号ＲＥＣ２の発動により全信号を“１”にする。
【００８９】
異常がなければＡＩＳ発生器３３は合成器３１及びＣＲＣ演算・挿入器３２により生成された図１のフレームフォーマット（Ｄ）を有する信号を送出する。
【００９０】
送出された信号はループバック器１の端子アからエを通って多重化装置へ送出される。
【００９１】
このとき、ループバック制御ＬＰＢＣが行われていればこの信号は端子アからイへ折り返されて再び送信側の信号となる。
【００９２】
なお、図３において概略的には、装置部分１〜１８が、多重化装置から受信したＩインタフェース仕様によるフレームの同期ビット列を無線回線用のサービス情報ビットに割り当てたフレームフォーマットで送受信装置を介して対向するインタフェース装置に送信するための手段を構成している。
【００９３】
また、装置部分１９〜３３は、送受信装置を介して対向するインタフェース装置から受信したフレームにおける該無線回線用サービス情報ビットを該Ｉインタフェース仕様によるフレームに戻して該多重化装置に送信するための手段を構成している。
【００９４】
次に、図２に示したフレーム構成例（２）の場合について説明すると、上記においても触れたように、図１のフレーム構成例（１）におけるビットＳとドント・ケア（−で示す）のビットを挿入する代わりに、モード切替信号ＩＮＨによりデータＤＡＴＡ１中のビットｍをそのまま合成器１５において合成しているだけである。
【００９５】
すなわち、タイミング発生器４からのタイミングの発生をビットＳとドント・ケアのときだけデータＤＡＴＡ１となるようにしている。
【００９６】
また、ｍ挿入器２８においても、Ｓ検出器２６からの信号ＲＥＣ１に関わらずタイミング発生器２７からの保守信号用ビットｍの位置のタイミングにより、ビットｍをそのまま送出する点が図１の場合と異なっており、その他を含めて図１の場合と同様である。
【００９７】
図３に示すインタフェース装置のビットＳ及びＵＡＩＳに関する動作を図７を参照して説明すると、無線回線Ｌ３が断状態になった場合はインタフェース装置間回線状態識別ビットＳが“１”となり主信号を全て“１”にする。
【００９８】
これとともに、インタフェース装置５１Ａでは多重化装置５０Ａにフレームフォーマット（Ｃ）のビットＳからＵＮＩ保守信号用ビットｍに変換したフレームフォーマット（Ｄ）と、全“１”の主信号とから成るＡＩＳ信号を伝送路Ｌ１を介して伝送し無線回線断を示す。
【００９９】
多重化装置５０Ａにおいては、ＡＩＳ信号をフレームフォーマット（Ａ）におけるｍビットを異常を示すパターンに設定してインタフェース装置５１Ａに送ると、インタフェース装置５１Ａでは該パターンを判定して信号ＲＡＩを発動する。
【０１００】
また、伝送路Ｌ１が断状態になったときには多重化装置５０Ａで信号ＲＥＣとして検出され、これがフレームフォーマット（Ａ）のビットｍによりインタフェース装置５１Ａに送られて来るので、インタフェース装置５１Ａではこの場合も信号ＲＡＩを発動する。
【０１０１】
また、インタフェース装置５１Ｂから多重化装置５０Ｂの方向においても同様の伝送を行い、無線回線断によるＡＩＳ信号を多重化装置５０Ｂに伝送することが可能となる。
【０１０２】
さらに、対向する多重化装置５０Ｂからのフレームフォーマット（Ａ）の信号が断になった場合は、フレーム同期器３において信号ＲＥＣ１として検出し、インタフェース装置５１ＢにおいてビットＵＡＩＳに変換し、すなわち主信号を全て“１”にして、対向するインタフェース装置５１Ａにフレームフォーマット（Ｃ）で伝送し、さらに多重化装置５０Ａに伝送する。多重化装置５０Ａから多重化装置５０Ｂの方向においても同様に伝送を行う。
【０１０３】
次に、折り返し試験を行う場合の動作を図７及び図８を参照して説明する。
図において、▲１▼は図１のフレームフォーマット（Ｃ）及び（Ｄ）における情報ビットＬＰＢＡにより行われる折り返し制御ルートを示しており、インタフェース装置５１ＡのＬＰＢ制御器１４でループバック器１８に対して端子オからカへの折り返し制御（ＬＰＢＡ制御）を行うとともにプリセットされＬＰＢ挿入器１２でビットＬＰＢＡに挿入されて送出され、ループバック器１８の端子オからカを経て送信した信号の全てを折り返すとともに、ＬＰＢ検出器２３においてビットＬＰＢＡを検出し、その検出信号をビットＬＰＢＡ・ＡＮＳとして折り返し中であることを例えば表示装置（図示せず）に示す。
【０１０４】
▲２▼は図１の情報ビットＬＰＢＢにより行われる折り返し制御ルートを示しており、インタフェース装置５１Ａより送出され、対向したインタフェース装置５１ＢにおけるＬＰＢ検出器２３によって検出され、検出ビットＬＰＢＢ・ＡＮＳを受けてＬＰＢ制御器１４がループバック器１８を制御することにより、受信信号ＲＸをその端子クからキにループバックさせ、折り返し中であることをインタフェース装置５１Ａに情報伝送するとともに受信した信号を全て折り返す。
【０１０５】
▲３▼はルート▲２▼と同様にインタフェース装置５１Ａ−５１Ｂ間の折り返しであるが、それぞれビットＬＰＢＣ及びＬＰＢＣ・ＡＮＳとして動作し、ビットＬＰＢＣをＬＰＢ検出器２３で検出し、ＬＰＢ制御器１４を介してループバック器１を制御することにより、受信信号をその端子アからイにループバックさせる点が異なっている。
【０１０６】
このように折り返し地点がそれぞれインタフェース装置５１Ａ，５１Ｂの出口／入口で行われるため、このインタフェース装置内か外なのかの切り分けが容易に可能となる。
【０１０７】
さらに、他の無線端局からの信号に誤同期することを防止するためにビットＩＤ1〜ＩＤ4により図５に示した如く１６通りのパターンをインタフェース装置５１ＡのＩＤ設定器１３（図４参照）より発生させ、図１のフレームフォーマット（Ｂ）のビットＩＤ1〜ＩＤ4に挿入し、対向するインタフェース装置５１ＢのＩＤ検出器２４により検出し、インタフェース装置５１Ｂで設定したビットＩＤ1〜ＩＤ4と一致させるようにし、重要データの流出の防止を図っている。
【０１０８】
この場合、ビットＩＤ1〜ＩＤ4と４ビットを用いることができるため１６通りのパターンが実現でき、並設した回線が１６本あっても重要データの流出防止が可能となる。
【０１０９】
多重化装置５０Ａからの信号をそのまま多重化装置５０Ｂに伝送する場合はインタフェース装置５１Ａ及び５１Ｂ内の信号ＩＮＨを発動することにより、図２のフレームフォーマット（Ｂ）及び（Ｃ）とすることで実現が可能となる。
【０１１０】
【発明の効果】
以上説明したように本発明に係るデジタル伝送装置によれば、多重化装置からのＩインタフェース信号の基本フォーマットを変えることなく無線回線特有に必要なサービス情報ビットの配置が可能となり、無線システムの監視や保守において折り返し機能により容易に障害を発見できることとなる。
【０１１１】
また、無線システム同士の誤った受信に対する保護が可能となり、且つ対向したデジタル端末装置の状態や対向したインタフェース装置の状態の通知が可能となる。
【０１１２】
さらには多重化装置の信号をスルーで伝送する場合もフレーム同期ビット以外の部分に影響を与えていないので簡単に切り換えが可能となる。
【図面の簡単な説明】
【図１】本発明に係るデジタル伝送装置に用いられるフレームフォーマットの構成例（１）を示した図である。
【図２】本発明に係るデジタル伝送装置に用いられるフレームフォーマットの構成例（２）を示した図である。
【図３】本発明に係るデジタル伝送装置に用いられるインタフェース装置の実施例を示したブロック図である。
【図４】本発明に係るデジタル伝送装置のインタフェース装置に用いられるＩＤ設定器の実施例を示したブロック図である。
【図５】図４に示したＩＤ設定器により設定されるビットＩＤ1〜ＩＤ4のパターン実施例を示した図である。
【図６】本発明に係るデジタル伝送装置におけるインタフェース装置に用いられるＬＰＢ制御器の実施例を示した回路図である。
【図７】本発明に係るデジタル伝送装置に用いられる各種情報ビットの伝送ルートを示す図である。
【図８】本発明に係るデジタル伝送装置における折り返し（ループバック）試験ルートを説明するためのブロック図である。
【図９】デジタル伝送装置の一般的な従来技術を説明するためのブロック図である。
【図１０】従来の無線回線用フレームフォーマット例（１）を示した図である。
【図１１】従来例及び本発明に共通な無線通信システムの構成例を示したブロック図である。
【図１２】Ｙインタフェース仕様によるフレーム構成例を示した図である。
【図１３】Ｉインタフェース仕様によるフレームのサービス情報ビット例を示した図である。
【符号の説明】
１，１８  ループバック器
２  入力断検出器
３  フレーム同期器（ビットＦS の1100 10100を検出）
４  タイミング発生器
５  ＲＡＩ検出器（ビットｍの01111110又は1111111100000000を検出）
６  主信号全１発生器
７  Ｓ挿入器
８  ＵＡＩＳ挿入器
９，３０  ａ挿入器
１０  Ｖ挿入器
１１  ＩＤ挿入器
１２  ＬＰＢ挿入器（ＬＰＢＡ・ＡＮＳ〜ＬＰＢＣ・ＡＮＳも挿入）
１３  ＩＤ設定器
１４  ＬＰＢ制御器
１５，３１  合成器
１６，３２  ＣＲＣ演算・挿入器
１７  ＣＭＩ符号器
１９  入力断検出器
２０  ＣＭＩ復号器
２１  フレーム同期器（Ｖビットを検出）
２２，２７  タイミング発生器
２３  ＬＰＢ検出器
２４  ＩＤ検出器
２５  ＵＡＩＳ検出器
２６  Ｓ検出器
２８  ｍ挿入器
２９  ＦS挿入器（ビットＦSの1100 10100を挿入）
３３  ＡＩＳ発生器（全信号１）
５０Ａ，５０Ｂ  多重化装置
５１Ａ，５１Ｂ  インタフェース装置
５２Ａ，５２Ｂ  送受信装置（ＭＲＵ）
５４〜５７  データ端末装置
図中、同一符号は同一または相当部分を示す。
【図１】
0003763889.tif 000002
【図２】
0003763889.tif 000003
【図３】
0003763889.tif 000004
【図４】
0003763889.tif 000005
【図５】
0003763889.tif 000006
【図６】
0003763889.tif 000007
【図７】
0003763889.tif 000008
【図８】
0003763889.tif 000009
【図９】
0003763889.tif 000010
【図１０】
0003763889.tif 000011
【図１１】
0003763889.tif 000012
【図１２】
0003763889.tif 000013
【図１３】
0003763889.tif 000014